(57)【要約】【課題】各種の芳香剤等を揮散可能に収容する容器の構造を簡単で見栄え良く形成して、前記容器の壁面に揮散孔を設けると共に該壁面を開閉可能に形成して、使用途中で揮散量の調節を容易に行えるように構成する。【解決手段】板状部材を加圧加工して、蓋状に形成する平坦な天板部２ａと該天板部の端部に連接した側壁部２ｂとで芳香剤等を収容可能な収容凹部を形成すると共に、前記側壁２ｂの端部のフランジ部２ｃに連接した底壁部材３を密着、固定可能な接合部２ｄを形成して、内部に芳香剤等を収容可能な浅い箱形状をした蓋状の容器本体２を形成して、前記天板部２ａに複数に分割、切断した開閉可能な蓋状体２ｇ，２ｈを形成して、前記蓋状体の切断端面に凹凸状をした係合部２ｆを設けて互いに係止可能に形成すると共に、前記開閉可能な蓋状体に多数の揮散孔２ｅを設けて芳香剤等を揮散可能にした蓋状の容器本体２を形成して、前記容器本体２の収容凹部に芳香剤等４を収容して前記接合部３ｄに平板状の底壁部材３を嵌合、固定せしめて容器本体２の開口部を密閉して、芳香剤等の揮散量を調節可能に構成する。【選択図】        図３
2004230087.tif 000002
【特許請求の範囲】
【請求項１】
蓋状に形成する平坦な天板部と該天板部の端部に連接した側壁部とで芳香剤等を収容可能な収容凹部を形成すると共に、前記側壁部に底壁部材を密着、固定可能に形成して、内部に芳香剤等を収容可能な浅い箱形状をした蓋状の容器本体を形成して、前記天板部に分割、切断した開閉可能な蓋状体を形成して、前記開閉可能な蓋状体を適正な位置で互いに係止可能な係合部を形成すると共に、前記開閉可能な蓋状体に芳香剤等を揮散可能にした揮散孔を形成して、前記収容凹部に芳香剤等を収容すると共に、前記側壁部に底壁部材を密着、固定せしめて容器本体の開口部を密閉して、芳香剤等の揮散量を調節可能にしたことを特徴とする揮散量を調節可能な芳香剤等の容器。
【請求項２】
蓋状に形成する平坦な天板部と該天板部の端部に連接した側壁部とで芳香剤等を収容可能な収容凹部を形成すると共に、前記側壁部に底壁部材を密着、固定可能に形成して、内部に芳香剤等を収容可能な浅い箱形状をした蓋状の容器本体を形成して、前記天板部に複数に分割、切断した開閉可能な蓋状体を形成して、前記蓋状体の切断端面に係合部を設けて適正な位置で互いに係止可能に形成すると共に、前記開閉可能な蓋状体に多数の揮散孔を設けて芳香剤等を揮散可能にした蓋状の容器本体を形成して、前記容器本体の収容凹部に芳香剤等を収容して前記側壁部に平板状の底壁部材を密着、固定せしめて容器本体の開口部を密閉して、芳香剤等の揮散量を調節可能に構成したことを特徴とする揮散量を調節可能な芳香剤等の容器。
【請求項３】
前記係合部は、蓋状体が向き合う切断面同志が係合可能な凹凸状に形成されてなることを特徴とする請求項１または請求項２に記載する揮散量を調節可能な芳香剤等の容器。
【請求項４】
前記開閉可能な蓋状体は、揮散孔を有する二つの蓋部からなることを特徴とする請求項１に記載する揮散量を調節可能な芳香剤等の容器。
【請求項５】
前記開閉可能な蓋状体は、揮散孔を有する蓋部と揮散孔を有しない蓋部とからなることを特徴とする請求項１に記載する揮散量を調節可能な芳香剤等の容器。
【請求項６】
底壁部材は、容器を壁面等に固定する固定手段が設けられてなることを特徴とする請求項１に記載する揮散量を調節可能な芳香剤等の容器。
【請求項７】
底壁部材は、容器を立設した状態に保持する支持体が設けられてなることを特徴とする請求項１に記載する揮散量を調節可能な芳香剤等の容器。
【発明の詳細な説明】
【０００１】
【発明の属する技術分野】
本願の発明は、芳香剤や消臭剤、防虫剤等の揮散組成物質を収容した容器に係わり、更に詳細には、芳香剤等を収容する容器の揮散開口部の面積を変えることにより、一つの容器内に収容された芳香剤等の揮散する量を調節可能にした芳香剤等の収容容器に関するものである。
【０００２】
【従来の技術】
最近の社会環境や住環境の変化に伴って、少しでも人々が快適な気分で生活することができるように、住居や店舗、公共の建物、あるいは、事務所や仕事場等に於いて、各種の心地よい花の香り等を嗅がせて、心身を気分的にリラックスさせたり、不愉快な臭いを消し去ったり、色々な害虫を駆除したりするために、色々な芳香剤や消臭剤、防虫剤等の揮発性成分を前記した建物等の内部で発散させるようになってきている。
そして、芳香剤や消臭剤、防虫剤等の各成分を空気中に発散させるために、従来から一般に使用されているものには、粉末状または粒状に形成した成分を発散可能な袋に詰めたもの、各種の成分を揮散紙等に含浸させて揮散させるようにしたもの、液体をエアゾル容器に詰めて噴霧可能にしたもの、あるいは、揮発性の固形体を揮発可能な容器に収容したもの、容器に詰めた液体を毛細管現象により発散可能にしたもの等が知られている。
【０００３】
しかし、上記したような袋詰めしたものや、揮散紙等に含浸させたものは、構造が簡単で、安価に製造することができて、箪笥や物置等に於いて防虫剤として使用するのには適しているが、広い建物内や室内に於いて不快な臭いを消したり、爽快な気分を感じさせるための消臭剤や芳香剤として使用するには、その形状や揮散量の関係であまり適していない。
また、エアゾル容器は、単なる殺虫剤としてのみならず、消臭剤や芳香剤等にも適していて、即効性を有してはいるが、薬剤を噴霧して長い時間の薬効を得ようとすれば、度々噴射ノズルを押圧する噴霧操作をしなくてはならないので、噴霧量は押圧操作により加減することができるが、薬効が長続きしないという問題がある。
【０００４】
そこで、人々に心地よい匂いを嗅いで爽快な気分にしたり、室内等の不愉快な臭いを消したりできるようにした芳香剤や消臭剤の香りを、できるだけ長い間持続して発生できるような構造にしたものとして、実開昭５５−５４９７３号や実開昭６３−１６６２４３号公報等に見るように、各種の芳香源や消臭源となる液状体を色々な形状をした容器に詰めて、毛細管現象の作用により空気中に発散させるような構造をしたものが、多用されるようになった。
【０００５】
その一つの例としては図１１に示すように、合成樹脂その他で成形された中空容器６１に芳香剤や防虫剤となる内溶液６２を収容して、その口頸部６１ａに吸い上げ部材６３を垂設して容器内の芳香剤等の液体を吸い上げるように保持した保持部材６４を嵌着すると共に、前記吸い上げ部材６３の先端部６３ａを突出せしめた状態で固定する蓋体６５を螺合して容器内の液体を吸い上げ可能となし、更に、前記蓋体６５に頂壁から突出する吸い上げ部材の先端部６３ａに接して液体を吸収するスポンジ等の揮散部材６７を装着した保持体６６を嵌合して、前記中空容器６１から吸い上げられる芳香剤等の液体を前記揮散部材６７で吸収して、該揮散部材の表面で外気に接して揮散せしめるような構造にした芳香剤等の容器が一般的である。
【０００６】
上記のような構造にした芳香剤容器には、必要に応じて揮散部材６７を覆うように飾り蓋６８が保持体６６に対して被着されると共に、該飾り蓋６８に設けられる揮散口６８ａの開口部の大きさにより揮散する量を調節することができて、また、中空容器６１に収容された芳香剤等の内溶液６２がなくなった場合には、すぐに内溶液を補充することが可能である。
しかし、上記のような構造をした芳香剤等の容器は、引っ繰り返って溢れないようにするために、棚等の水平な広い所に置かなくてはならないので、場所をとり、また、容器の遮蔽体を除いて揮散を開始した後では、薬液の揮散速度を調整することができないし、更に、容器の構造が複雑で、製造コストを低減するのが困難である。
【０００７】
また、実公平３−１９８８３号や特開平１１−８９９２３号公報等に見るように、芳香剤や消臭剤等を固形状にしたものを色々な形状をした容器に収容して発散可能としたものも知られている。
上記する発明等は、図１２に示すように、合成樹脂により成形された皿状の受容体５１の中央に立設した支持体５２の回りに芳香剤や防虫剤となるゲル状の組成物５３を充填、固定したものに、円錐形のコップ状をした蓋体５４を支持軸５５を介して前記支持体５２に嵌着して軸線方向に沿ってスライド可能に設けられて、蓋体５４と受容体５１との間に前記ゲル状組成物５３を空気中に露出させるための開口部５６を形成できる構造にしたものである。
【０００８】
上記のような構造にした固体状の芳香剤等を収容した容器は、蓋体５４を上下方向に移動させて、ゲル状組成物５３の側面の露出度合いを変化させることにより、発散量を決めることはできるが、しかし、一度容器を開封して芳香剤等を揮散させて使い始めた後では、途中で薬剤の蒸散を中断しようとしても、蒸散を停止させる機能を備えていないので、芳香剤等の揮散を一時的に中断させたり、蒸散量を変えることはできない。
従って、使用中のものについては、芳香剤等の揮散量を多くしたり、少なくしたりしようとしても、一度容器が開封されたものは、そのままの状態で芳香剤等の揮散をし続けなければならないので、時間が立つにつれて芳香剤の量が減少して揮散量が落ちたものは、芳香剤の補充ができず、揮散量を多くすることができないから、充分に効果が発揮できなくなり、また、前記芳香剤等の容器は、見かけも良くないことから、それらを置く場所には色々と苦心しなければならないことがあった。
【０００９】
そこで、芳香剤を収容する容器として、場所を取らずに、外見上の見かけがよいものとしては、実開平６−１１５６３号や特開平１０−２６３０６８号公報等に見るように、壁掛け型あるいは額縁型をしたものが提案されている。
しかし、これらの芳香剤入り容器は、芳香剤の放散量を調節することができるが、その構造がやや複雑であるから製造コストの低減が難しく、また、芳香剤の補充ができなくて非経済的である。
従って、芳香剤や消臭剤、防虫剤等を収容した芳香剤等の容器に於いて、安価に製造することができて、芳香剤や消臭剤等の揮散する量を調節することはできて、更には、一度容器を開封して使用している途中で薬剤の揮散量が低下して効果が薄れたものについて、揮散量を高めることができるようにして、使用期間を延ばせるようにしたり、また、容器の外見上の見栄えも良くして、それを使用するのには場所を選ばずに、色々な所で使用可能にした芳香剤等の容器の出現が望まれる。
【００１０】
【発明が解決しようとする課題】
本願の発明は、各種の芳香剤や消臭剤、防虫剤等を揮散可能に収容して形成した芳香剤等の容器に於いて、容器の構造が簡単で安価に製造することができて、また、該容器は外見上の見栄えも良くて、場所を選ばずに色々な所で使用することができると共に、前記容器の壁面部分に設けた揮散孔からの揮散量を調節することができるように前記容器を構成して、使用途中で揮散量の調節を容易に行えるようにして、揮散量が低下して薬剤の効果が薄れたものについては、揮散量を高められるようにして、有効に使用できる期間を延ばせるようにした芳香剤等の容器を提供することを目的とする。
【００１１】
【課題を解決する手段】
蓋状の容器本体に形成する平坦な天板部と該天板部の端部に連接する側壁部とから芳香剤等を収容可能な収容凹部を形成すると共に、前記側壁部に底壁部を密着、固定可能な接合部を形成して、浅い箱型状をした芳香剤等を収容可能にした蓋状の容器本体を形成して、また、前記容器本体の接合部に密着、固定されて密閉可能にした平板状の底壁部材を形成する。
そして、上記のように形成された容器本体の天板部を複数に分割、切断して開閉可能な蓋状体を形成して、前記蓋状体に切断されたそれぞれの端面に係合部を設けて、蓋状体を所定の開放位置に係止可能に形成すると共に、前記開閉可能に形成した蓋状体に揮散孔を設けて内部の芳香剤等を揮散可能にした容器本体を形成して、前記容器本体の収容凹部に芳香剤等を収容すると共に、前記容器本体の密着、接合部に平板状の底壁部材を密着、固定して、蓋状体の開閉具合により内部に収容された芳香剤等の揮散量を調節できるようにした芳香剤等の容器を構成する。
【００１２】
【発明の実施の態様】
本願発明の容器本体２を蓋状に形成する平坦な天板部２ａと該天板部の端部に連接して側壁部２ｂを設けて芳香剤等を収容可能な収容凹部を形成すると共に、前記側壁部に設けたフランジ部２ｃその他に底壁部３を密着、固定する接合部２ｄを設けた箱型状に形成して、前記収容凹部に芳香剤等を収容可能にした蓋状の容器本体２を形成する一方で、前記接合部に密着、固定して密閉可能にした平板状の底壁部材３を形成する。
そして、前記容器本体２の天板部２ａをＬ字状またはＺ字状その他の形状をした複数に分割、切断した開閉可能な蓋状体２ｇ，２ｈに形成して、前記蓋状体の切断されたそれぞれの端面に適当な係合部２ｆを設けて、蓋状体を適正な状態に係止可能に形成すると共に、前記開閉可能な蓋状体に複数の小さな揮散孔２ｅを設けて内部の芳香剤等を揮散可能にした容器本体を形成する。
【００１３】
上記のように形成されて蓋状をした容器本体２の前記収容凹部に芳香剤等の揮散物を収容すると共に、前記容器本体の接合部２ｄに平板状の底壁部材３を嵌合、固定せしめて密閉して、内部に収容された芳香剤等の揮散量を蓋状体の開閉度により調節可能にした芳香剤等の容器１を構成する。
このように構成された香剤等の容器１を実際に使用するには、前記容器の表面を密閉包装している包装材を剥がして内部の芳香剤等を揮散可能にしてから、前記底壁部材３の裏側その他に設けられているフック５または支持体７を引き出して、壁面や家具等の適当な係止片６その他にフック等を引っ掛けて容器１を懸垂状に保持するか、壁面等の段部の平坦な面や家具その他の適当な平坦面に容器１を載置して、支持体７を三角形状にしたスタンド状に支持して、香剤等の容器は使用に供することができる。
【００１４】
【実施例】
以下に、各種の芳香剤や消臭剤等を収容した本願発明の容器について、最適な一つの実施例に基づいて、図面を参照しつつ詳細に説明する。
本願発明の芳香剤や消臭剤または防虫剤等の揮散可能な物質を収容する容器１は、図１に示すように、芳香剤等を収容する収容凹部を形成した容器本体２の前面の天板部２ａに揮散孔２ｅを設けて、前記収容凹部内に芳香剤等を収容して底壁部３を嵌合、固定して、内容物を揮散可能に形成したものである。
上記した芳香剤等を収容する容器は、図２に示したように、蓋状の容器本体２を形成する平坦な天板部２ａと、前記天板部の端部に連接する側壁部２ｂとから芳香剤等を収容する収容凹部を形成すると共に、前記側壁部に底部を形成する底壁部材３を密着して固定する接合部２ｄを形成して、前記収容凹部に芳香剤等４を収容可能な浅い箱型状に形成した蓋状の容器本体２と、前記接合部２ｄに密着、固定されて密閉する平板状の底壁部材３とから形成されている。
【００１５】
上記のように形成された容器本体２には、前記収容凹部に各種の芳香剤や消臭剤等４が収容されてから、前記接合部２ｄに平板状の底壁部材３を嵌合、固定して密閉されて、図１に示すように、内容物を揮散可能芳香剤等の容器１に構成される。
そして、前記容器本体の天板部２ａには、複数に分割、切断して開閉可能に形成された蓋状体２ｇ，２ｈが形成されると共に、前記開閉可能な蓋状体には内部に収容された芳香剤等の成分を揮散可能にする小さな揮散孔２ｅが複数個設けられていて、前記蓋状体２ｇ，２ｈの開閉可能に切断されたそれぞれの端面には、相互に係合可能にした凹凸状の係合部２ｆを形成されて、内部に芳香剤等を揮散可能に収容した芳香剤等の容器１に形成されている。
【００１６】
上記のように形成された芳香剤等の容器１は、不使用時に揮散しないように合成樹脂その他からなるフィルム状の気体が不透過な密封材で包装されているので、使用するに際して、容器本体２の天板部２ａが密封されている包装材を剥がして取り除いてやると、天板部２ａに設けられた揮散孔２ｅが現れて、内部の芳香剤等が露出して揮散可能な状態になる。
そこで、前記容器１の底壁部材３の裏面その他に設けられているフック５等をを引き出して、図２に示したように、前記容器１を壁面その他に設けられた係止片６その他にフック５等を引っ掛けると、揮散が開始されて使用状態になる。
尚、上記芳香剤等の容器１は、蓋状をした容器本体２に芳香剤等４を入れた後で底壁部材３を容器本体２の側壁部に密着して密閉したが、逆に、底壁部材３に縁部を設けて凹状に形成したものに芳香剤等４を入れた後で、前記蓋状をした容器本体２を被せて密着させて密閉して芳香剤等の容器とすることも可能であり、その際に、容器本体２と底壁部材３とは、弾性変形応力による密着、接合でも、接着剤による密着、接合あるいはホッチキス針による密着、接合その他にる接合であってもよい。
【００１７】
そして、上記のようにして芳香剤等の容器を使用している途中で、揮散量が減少したり、芳香量をもう少し増やしたいと感じた場合には、図３に示すように、容器本体２の天板部２ａの下方部分がＬ字状に切断されて開閉可能に形成された蓋状体２ｇ，２ｈを外側へ開いてやると、切断端面に沿って設けられた凹凸状の係合部２ｆが現れるので、必要な揮散量が得られる程度に開口する位置で凹凸状の係合部２ｆを係合させて、揮散量を調節することができる。
【００１８】
尚、上記した第一の実施例に於いて、天板部２ａの下方部分をＬ字状に分割、切断せしめて開閉可能な蓋状部分２ｇ，２ｈを形成して、その切断端面に沿って凹凸状の係合部２ｆを設けたが、本願の発明は、凹凸状の係合部を設けるのに上記したようなＬ字形状の切断に限定されるものではなくて、図６に示したように、天板部２ａの下方部分をＵ字形状に切断した開閉可能な蓋状体２ｇ，２ｈを形成して、その切断端面に沿った適当な位置に凹凸状その他の形状の係合部２ｆを設けることが可能である。
このように切断面をＵ字状に形成して開閉可能な蓋状体２ｇ，２ｈを設けたものに於いて、容器内の芳香剤等の揮散量を調節するには、図７に示すように、前記蓋状体を前方へ押し開いて係合部２ｆを係合せしめることにより揮散量を調節することが可能になる。
【００１９】
上記した第一実施例に於ける本願発明の容器は、使用可能な状態に固定する手段として、容器本体２に密着、接合した底壁部材の裏面に設けたフック５を壁面に引っ掛ける形式を採用して、また、蓋部に設けた揮散孔２ｅは、略長方形をした細い開口を斜め状に形成したものであったが、本願発明は、このような形式や形状に限定されるものではなくて、図４に示すように、容器本体の底壁裏面につっかい棒状にした支持体７を設けて三角形状に支持するスタンド形式にしても良いし、また、底壁の裏面その他の部分に着脱自在な粘着材や係止孔あるいはピン止め等の手段を設けておいて、壁面その他に係止した状態で使用することも可能である。
また、容器本体の蓋部に設ける揮散孔２ｅは、長方形状をした細い揮散開口に代えて、種々の大小の円形状やその他の形状をした開口部を多数設けた形成にしてもよい。
【００２０】
更に、容器本体の蓋部に設ける開閉可能な蓋状体２ｇ，２ｈを、図３に示したように、蓋部の下部に開口部分と支持部分とをＬ字状に分けるように形成するのではなくて、図４に示すように、蓋部の中程を直線状に二分して概略Ｚ字状に切断または分断して、上下の蓋状体２ｇ，２ｇのそれぞれに揮散孔２ｅが設けられているように形成すると共に、中程の直線状の切断面に凹凸状の係合部２ｆを形成することも可能である。
そして、このように係合部２ｆを形成した芳香剤等を収容した容器１は、使用しているうちに揮散量が減少して、揮散量を増やしたくなったり、もっと多量の芳香量が欲しくなった場合には、図５に示すように、蓋状体２ｇ，２ｇを外向きに開いて係合部２ｆの凹凸を係合せしめて、芳香剤等が空気に触れて揮散する開口面積を広げることにより、必要とする揮散量を得ることが可能となる。
【００２１】
上記した実施例の容器本体の形状は、いずれも薄い箱型状をしたものであるから、芳香剤等を収容する収容凹部が浅くて、布や紙その他の吸着材からなる平板状の基材に各種の芳香剤その他の揮散または蒸散可能な物質を含浸させたもの、あるいは、板状または粒状をした固形状の芳香剤、ゲル状芳香剤等に適しているが、あまり長期間の使用には適していない。
そこで、芳香剤その他の揮散物質を長期間に亘って揮散状態を保ちたい場合には、図８または図１０に示すように、容器本体を多量の芳香剤その他の揮散物質が収容可能な深い箱形状に形成して、その中に芳香剤その他を収容して、開口部にフィルムその他の密封材１４を貼着して、前記した実施例と同様な揮散孔を設けた蓋体の天板部に開閉可能な蓋状体を形成した蓋体を、芳香剤等を収容した容器本体に嵌合、密着することにより、その目的を達成することができる。
【００２２】
図８に示したものは、容器本体１２の開口部が長方形の短辺側の一方の辺を他方の辺よりも僅かに短くした台形状をした箱形容器に形成して、該台形状の箱形容器の開口部にフランジ部１２ａを形成すると共に底壁部１２ｂを傾斜状に形成して、芳香剤その他の揮散物質を収容可能な容器本体１２に形成して、前記容器本体に芳香剤等を収容してから、容器本体の開口部を気体が不透過なフィルム等１４で密封して、その上に揮散孔１３ｅを設けた天板部１３ａに開閉可能な蓋状体１３ｇ，１３ｈを形成した蓋体１３を嵌着せしめて、芳香剤等の容器１１に構成するようにしたものである。
そして、上記のようにして構成された容器１１は、前記したフィルム等の密封材１４を容器本体１２から除去して、天板部１３ａに開閉可能な蓋状体１３ｇ，１３ｈを形成した前記蓋体１３を本体開口部に嵌着してから、台形開口部の底辺部を下にして、前記容器本体の側壁１２ｃが下方になるように載置して、芳香剤等を揮散可能となした使用状態のものが、図９に示されている。
【００２３】
図１０に示したものは、開口部が略正方形をした深底の箱形をした容器の開口端部にフランジ部２３ａを形成した容器本体２３に芳香剤等を収容して、前記開口端部を気体が不透過なフィルム等の密封材２４で密封して、その上に揮散孔２３ｅを設けた天板部２３ａに開閉可能な蓋状体２３ｇ，２３ｈを形成した蓋体２３を嵌着せしめて、芳香剤等の容器に構成するようにしたものである。
このように構成した容器は、前記フィルム等の密封材２４を容器本体２２から除去してから、天板部２３ａに開閉可能な蓋状体２３ｇ，２３ｈを形成した前記蓋体２３を容器本体２２の開口部に嵌着して、芳香剤等を揮散可能となして使用するようにしたものである。
【００２４】
【発明の効果】
以上、述べたように、本願の発明は、色々な箱形状をした容器本体に各種の芳香剤等を収容した容器の蓋部の天板部分に、芳香剤等を揮散させる多数の小さな揮散孔を開口して、前記天板部を複数に切断して開閉可能な蓋状に形成すると共に、切断面に凹凸状をした係合部を形成して、前記蓋状体を色々な角度に開いた状態にして係止可能としたので、容器本体内の芳香剤等の揮散量を調節することができる。
また、本願発明の容器は、薄い箱形状に形成することもできるので、場所をとらずに色々な所に置いて使用することが可能であり、構造が簡単であるから安価に製造することができる。
【図面の簡単な説明】
【図１】本願発明の芳香剤等の容器の使用状態を示す斜視図である。
【図２】本願発明の芳香剤等を収容した容器を斜視図で示した断面図である。
【図３】図１に示した容器の揮散量を高めた状態を示す斜視図である。
【図４】図１に示した芳香剤等の容器の変形例を示す斜視図である。
【図５】図４に示す容器の揮散量を高めた状態を示す斜視図である。
【図６】図１に示した芳香剤等の容器の天板部の変形例を示す斜視図である。
【図７】図６に示す容器の揮散量を高めた状態を示す斜視図である。
【図８】本願発明の別な実施例の容器を示す分解図である。
【図９】図８に示す容器の使用状態を示す断面図である。
【図１０】本願発明のもう一つの実施例の容器を示す分解図である。
【図１１】従来の長時間揮散可能な容器を示す断面図である。
【図１２】従来の揮散量を調節可能な容器を示す断面図である。
【符号の説明】
１．    容器
２．    容器体
２ａ．  天板部
２ｃ．  フランジ部
２ｅ．  揮散孔
２ｆ．  係合部
２ｇ．  蓋状体
２ｈ．  蓋状体
３．    底壁部材
４．    芳香剤
５．    フック
６．    係止片
【図１】
2004230087.tif 000003
【図２】
2004230087.tif 000004
【図３】
2004230087.tif 000005
【図４】
2004230087.tif 000006
【図５】
2004230087.tif 000007
【図６】
2004230087.tif 000008
【図７】
2004230087.tif 000009
【図８】
2004230087.tif 000010
【図９】
2004230087.tif 000011
【図１０】
2004230087.tif 000012
【図１１】
2004230087.tif 000013
【図１２】
2004230087.tif 000014